(57)【要約】【課題】水難事故等に巻き込まれたときでも容易に装着可能であって、良好に浮力を確保する救命バッグを提供する。【解決手段】ビジネスバッグ１０は、側面１４〜２０，底面２２及び上面２４からなるバッグ本体１２と、持ち手３８Ａ，３８Ｂを備えている。側面１４には、一対の肩ベルト３２Ａ，３２Ｂが設けられている。側面１４及び一対の肩ベルト３２Ａ，３２Ｂは、着脱具３０により分離可能な被覆部材１５により覆われている。前記側面１４と一対の肩ベルト３２Ａ，３２Ｂは浮力材で形成され、必要に応じて、被覆部材１５も浮力材で形成する。非常時には、着脱具３０を開いて被覆部材１５を分離し、肩ベルト３２Ａ，３２Ｂを両腕にかけてバッグ本体１２を背負う。肩ベルト３２Ａ，３２Ｂ及び側面１４の浮力により浮力を確保する。更に必要に応じて、前記被覆部材１５を浮力材で形成し、ビート板として使用する。【選択図】図１
2019206195.tif 000002
【特許請求の範囲】
【請求項１】
物を収納するバッグ本体と、
該バッグ本体の一部を構成し、バッグを背負ったときに使用者の背中に当たる背負い面と、
該背負い面に設けられており、前記使用者が両腕を通して背負うための背負い手段と、
前記背負い面と全部又は一部が分離可能であって、前記背負い面及び前記背負い手段を覆う被覆部材と、
該被覆部材を前記背負い面に対して分離可能に取り付ける脱着手段と、
を備えるとともに、
前記背負い手段が浮力を有することを特徴とする救命バッグ。
【請求項２】
前記背負い手段が、浮力材で形成されていることを特徴とする請求項１記載の救命バッグ。
【請求項３】
前記背負い手段が、
ガスの注入により膨張する浮き袋と、
該浮き袋にガスを注入するガスカートリッジと、
を含むことを特徴とする請求項１記載の救命バッグ。
【請求項４】
前記背負い面に、予備のガスカートリッジを収納するための収納部を設けたことを特徴とする請求項３記載の救命バッグ。
【請求項５】
前記背負い面の内側に収納されており、前記バッグ本体の両側面から出し入れ可能であって、ガスの注入により膨張する胴部用浮き袋と、
該胴部用浮き袋にガスを注入するガスカートリッジと、
前記胴部用浮き袋を、前記使用者の胴部に着脱可能に固定する固定手段と、
を備えたことを特徴とする請求項１〜４のいずれか一項に記載の救命バッグ。
【請求項６】
前記バッグ本体の両側面であって、前記胴部用浮き袋を出し入れする出し入れ口に設けられた開閉手段、
を備えるとともに、
前記開閉手段が、前記胴部用浮き袋の膨張により自動的に開くことを特徴とする請求項５記載の救命バッグ。
【請求項７】
前記バック本体の側面に着脱可能に設けられており、ガスの注入により膨張する浮き袋を出し入れ可能に収納した収納体と、
該収納体に設けられ、前記浮き袋を出し入れする出し入れ口と、
前記浮き袋にガスを注入するガスカートリッジと、
を備えたことを特徴とする請求項１〜４のいずれか一項に記載の救命バッグ。
【請求項８】
前記浮き袋に、前記バッグ本体又は使用者の着衣と連結するための連結手段を設けたことを特徴とする請求項８記載の救命バッグ。
【請求項９】
前記バッグ本体内に収納されており、ガスの注入により膨張するビート板用浮き袋と、
該ビート板用浮き袋にガスを注入するガスカートリッジと、
を備えたことを特徴とする請求項１〜８のいずれか一項に記載の救命バッグ。
【請求項１０】
前記バッグ本体内に収納される板状体と、
該板状体の内部に収納されており、前記板状体の両端側から出し入れ可能であって、ガスの注入により膨張する一対の胴部用浮き袋と、
該一対の胴部用浮き袋にガスを注入するガスカートリッジと、
前記一対の胴部用浮き袋を、前記使用者の胴部に着脱可能に固定する固定手段と、
を備えたことを特徴とする請求項１〜４のいずれか一項に記載の救命バッグ。
【請求項１１】
前記背負い面又は前記被覆部材の少なくとも一方が、浮力材で形成されていることを特徴とする請求項１〜１０のいずれか一項に記載の救命バッグ。
【請求項１２】
前記被覆部材に、前記使用者が背負うための他の背負い手段を設けたことを特徴とする請求項１〜１１のいずれか一項に記載の救命バッグ。
【請求項１３】
物を収納するバッグ本体と、
該バッグ本体の一部を構成し、バッグを背負ったときに使用者の背中に当たる背負い面と、
該背負い面に設けられており、前記使用者が両腕を通して背負うための背負い手段と、
前記背負い面の内側に収納されており、前記バッグ本体の両側面から出し入れ可能であって、ガスの注入により膨張する胴部用浮き袋と、
該胴部用浮き袋にガスを注入するガスカートリッジと、
前記胴部用浮き袋を、前記使用者の胴部に着脱可能に固定する固定手段と、
を備えたことを特徴とする救命バッグ。
【請求項１４】
前記バッグ本体の両側面であって、前記胴部用浮き袋を出し入れする出し入れ口に設けられた開閉手段、
を備えるとともに、
前記開閉手段が、前記胴部用浮き袋の膨張により自動的に開くことを特徴とする請求項１３記載の救命バッグ。
【請求項１５】
物を収納するバッグ本体と、
該バッグ本体の一部を構成し、バッグを背負ったときに使用者の背中に当たる背負い面と、
該背負い面に設けられており、前記使用者が両腕を通して背負うための背負い手段と、
前記バック本体の側面に着脱可能に設けられており、ガスの注入により膨張する浮き袋を出し入れ可能に収納した収納体と、
該収納体に設けられ、前記浮き袋を出し入れする出し入れ口と、
前記浮き袋にガスを注入するガスカートリッジと、
を備えたことを特徴とする救命バッグ。
【請求項１６】
前記浮き袋に、前記バッグ本体又は使用者の着衣と連結するための連結手段を設けたことを特徴とする請求項１５記載の救命バッグ。
【請求項１７】
物を収納するバッグ本体と、
該バッグ本体の一部を構成し、バッグを背負ったときに使用者の背中に当たる背負い面と、
該背負い面に設けられており、前記使用者が両腕を通して背負うための背負い手段と、
前記バッグ本体内に収納されており、ガスの注入により膨張するビート板用浮き袋と、
該ビート板用浮き袋にガスを注入するガスカートリッジと、
を備えたことを特徴とする救命バッグ。
【請求項１８】
物を収納するバッグ本体と、
該バッグ本体の一部を構成し、バッグを背負ったときに使用者の背中に当たる背負い面と、
該背負い面に設けられれており、前記使用者が両腕を通して背負うための背負い手段と、
前記バッグ本体内に収納される板状体と、
該板状体の内部に収納されており、前記板状体の両端側から出し入れ可能であって、ガスの注入により膨張する一対の胴部用浮き袋と、
該一対の胴部用浮き袋のガスを注入するガスカートリッジと、
前記一対の胴部用浮き袋を、前記使用者の胴部に着脱可能に固定する固定手段と、
を備えたことを特徴とする救命バッグ。
【請求項１９】
前記救命バッグが、ランドセルであることを特徴とする請求項９〜１８のいずれか一項に記載の救命バッグ。
【請求項２０】
前記救命バッグが、前記背負い面を側面の一つとするビジネスバッグであることを特徴とする請求項１〜１８のいずれか一項に記載の救命バッグ。
【請求項２１】
前記背負い手段が、
前記背負い面に対して着脱可能であることを特徴とする請求項１〜２０のいずれか一項に記載の救命バッグ。
【請求項２２】
前記背負い面の前記背負い手段の上方に収納可能であって、前記使用者の頸部から頭部にかけて覆うように膨張可能な保護手段、
を設けたことを特徴とする請求項１〜２１のいずれか一項に記載の救命バッグ。
【請求項２３】
前記背負い手段の下方に収納可能であって、前記使用者の両足を通す足ベルト、
を設けたことを特徴とする請求項１〜２２のいずれか一項に記載の救命バッグ。
【請求項２４】
前記背負い手段が、一対の肩ベルト，上着形状又は一対の肩ベルトの上部が連結した略Ｕ字形状のいずれかであることを特徴とする請求項１〜２３のいずれか一項に記載の救命バッグ。
【請求項２５】
前記救命バッグのいずれかの部分を、水を含むと発熱する素材により形成したことを特徴とする請求項１〜２４のいずれか一項に記載の救命バッグ。
【請求項２６】
前記救命バッグのいずれかの部分に、反射板を設けたことを特徴とする請求項１〜２５のいずれか一項に記載の救命バッグ。
【請求項２７】
前記背負い面に設けた収納部又は前記バッグ本体に、防災用品が収納されていることを特徴とする請求項１〜２６のいずれか一項に記載の救命バッグ。
【請求項２８】
前記背負い面に、
前記使用者の身元を照会するための情報を有するカードと、
該カードを収納する防水ポケットと、
を設けたことを特徴とする請求項１〜２７のいずれか一項に記載の救命バッグ。
【請求項２９】
前記救命バッグのいずれかの部分に、
前記使用者の個人情報を記録したＩＣチップと、無線通信のためのアンテナとを備えたカードタグが設けられていることを特徴とする請求項１〜２８のいずれか一項に記載の救命バッグ。
【請求項３０】
請求項２９記載の救命バッグと、
該救命バッグに設けられたカードタグと無線通信するためのアンテナと、前記カードタグの個人情報を読み取り可能な制御部とを有する探索手段と、
を含み、
前記制御部は、前記カードタグから読み取った情報に応じて、所定の連絡先ないし通報先に通知を行うことを特徴とする救命システム。
【請求項３１】
前記救命バッグが、前記使用者の位置に関する情報を発信する位置情報発信手段を備えており、
前記制御部は、
前記位置情報取得手段によって取得した位置に関する情報を、前記所定の連絡先ないし通報先ないし通報先に通知することを特徴とする請求項３０記載の救命システム。
【発明の詳細な説明】
【技術分野】
【０００１】
本発明は、ランドセルやビジネスバッグなどに救命胴衣などの機能を付加した救命バッグとそれを利用した救命システムに関するものである。
【背景技術】
【０００２】
救命胴衣等とバッグを一体化したものとしては、例えば、下記特許文献１の「ライフジャケット兼用リュックサック」がある。当該技術によれば、リュックサックの背面及び肩ベルトに通常装備されているクッション材の特性を生かし、そのクッション材を浮力として利用するもので、もともとリュックサックの形状から体に装着しやすいライフジャケットに近い形態となっている。しかし、バック本体及びその収納物が浮力とはなりえないため、一連につなげた背面のクッション、肩ベルト、背面バック等と分離し、その分離した連結ベルトによって一連につなげた背面のクッション・肩ベルト・背面バックなどの浮力体を装着することにより、ライフジャケットとして利用するものである。
【先行技術文献】
【特許文献】
【０００３】
【特許文献１】特開２００４−４１３９２号公報
【発明の概要】
【発明が解決しようとする課題】
【０００４】
しかしながら、上述した特許文献１に記載の背景技術では、バック本体を分離して使用するため、ライフジャケットとして使用するときには、バック本体とその収納物を手離さなければならない。また、前記特許文献１に記載の技術では、複数のベルトを装着しなければならず、緊急時に速やかに装着できるとは限らない。特に、小学生などの子供の場合は、簡易に装着できることが重要である。また、水難が去ったあとに、バック本体と収納物が手元にないため、避難生活や捜索活動に必要なものなども失ってしまうことになる。
【０００５】
本発明は、以上のような点に着目したもので、津波などの水難事故に巻き込まれたときでも簡易に装着可能であって、良好に浮力を維持するとともに、避難や捜索にも適した救命バッグ及び救命システムを提供することを、その目的とする。
【課題を解決するための手段】
【０００６】
本発明の救命バッグは、物を収納するバッグ本体と、該バッグ本体の一部を構成し、バッグを背負ったときに使用者の背中に当たる背負い面と、該背負い面に設けられており、前記使用者が両腕を通して背負うための背負い手段と、前記背負い面と全部又は一部が分離可能であって、前記背負い面及び前記背負い手段を覆う被覆部材と、該被覆部材を前記背負い面に対して分離可能に取り付ける脱着手段と、を備えるとともに、前記背負い手段が浮力を有することを特徴とする。
【０００７】
主要な形態の一つは、前記背負い手段が、浮力材で形成されていることを特徴とする。あるいは、前記背負い手段が、ガスの注入により膨張する浮き袋と、該浮き袋にガスを注入するガスカートリッジと、を含むことを特徴とする。他の形態の一つは、前記背負い面に、予備のガスカートリッジを収納するための収納部を設けたことを特徴とする。
【０００８】
更に他の形態の一つは、前記背負い面の内側に収納されており、前記バッグ本体の両側面から出し入れ可能であって、ガスの注入により膨張する胴部用浮き袋と、該胴部用浮き袋にガスを注入するガスカートリッジと、前記胴部用浮き袋を、前記使用者の胴部に着脱可能に固定する固定手段と、を備えたことを特徴とする。更に他の形態の一つは、前記バッグ本体の両側面であって、前記胴部用浮き袋を出し入れする出し入れ口に設けられた開閉手段、を備えるとともに、前記開閉手段が、前記胴部用浮き袋の膨張により自動的に開くことを特徴とする。
【０００９】
更に他の形態の一つは、前記バック本体の側面に着脱可能に設けられており、ガスの注入により膨張する浮き袋を出し入れ可能に収納した収納体と、該収納体に設けられ、前記浮き袋を出し入れする出し入れ口と、前記浮き袋にガスを注入するガスカートリッジと、を備えたことを特徴とする。更に他の形態の一つは、前記浮き袋に、前記バッグ本体又は使用者の着衣と連結するための連結手段を設けたことを特徴とする。更に他の形態の一つは、前記バッグ本体内に収納されており、ガスの注入により膨張するビート板用浮き袋と、該ビート板用浮き袋にガスを注入するガスカートリッジと、を備えたことを特徴とする。
【００１０】
更に他の形態の一つは、前記バッグ本体内に収納される板状体と、該板状体の内部に収納されており、前記板状体の両端側から出し入れ可能であって、ガスの注入により膨張する一対の胴部用浮き袋と、該一対の胴部用浮き袋のガスを注入するガスカートリッジと、前記一対の胴部用浮き袋を、前記使用者の胴部に着脱可能に固定する固定手段と、を備えるたことを特徴とする。
【００１１】
更に他の形態の一つは、前記背負い面又は前記被覆部材の少なくとも一方が、浮力材で形成されていることを特徴とする。更に他の形態の一つは、前記被覆部材に、前記使用者が背負うための他の一対の背負い手段を設けたことを特徴とする。
【００１２】
他の発明の救命バッグは、物を収納するバッグ本体と、該バッグ本体の一部を構成し、バッグを背負ったときに使用者の背中に当たる背負い面と、該背負い面に設けられており、前記使用者が両腕を通して背負うための背負い手段と、前記背負い面の内側に収納されており、前記バッグ本体の両側面から出し入れ可能であって、ガスの注入により膨張する胴部用浮き袋と、該胴部用浮き袋にガスを注入するガスカートリッジと、前記胴部用浮き袋を、前記使用者の胴部に着脱可能に固定する固定手段と、を備えたことを特徴とする。主要な形態の一つは、前記バッグ本体の両側面であって、前記胴部用浮き袋を出し入れする出し入れ口に設けられた開閉手段、を備えるとともに、前記開閉手段が、前記胴部用浮き袋の膨張により自動的に開くことを特徴とする。
【００１３】
更に他の発明の救命バッグは、物を収納するバッグ本体と、該バッグ本体の一部を構成し、バッグを背負ったときに使用者の背中に当たる背負い面と、該背負い面に設けられており、前記使用者が両腕を通して背負うための背負い手段と、前記バック本体の側面に着脱可能に設けられており、ガスの注入により膨張する浮き袋を出し入れ可能に収納した収納体と、該収納体に設けられ、前記浮き袋を出し入れする出し入れ口と、前記浮き袋にガスを注入するガスカートリッジと、を備えることを特徴とする。主要な形態の一つは、前記浮き袋に、前記バッグ本体又は使用者の着衣と連結するための連結手段を設けたことを特徴とする。
【００１４】
更に他の発明の救命バッグは、物を収納するバッグ本体と、該バッグ本体の一部を構成し、バッグを背負ったときに使用者の背中に当たる背負い面と、該背負い面に設けられており、前記使用者が両腕を通して背負うための背負い手段と、前記バッグ本体内に収納されており、ガスの注入により膨張するビート板用浮き袋と、該ビート板用浮き袋にガスを注入するガスカートリッジと、を備えたことを特徴とする。
【００１５】
更に他の発明の救命バッグは、物を収納するバッグ本体と、該バッグ本体の一部を構成し、バッグを背負ったときに使用者の背中に当たる背負い面と、該背負い面に設けられれており、前記使用者が両腕を通して背負うための背負い手段と、前記バッグ本体内に収納される板状体と、該板状体の内部に収納されており、前記板状体の両端側から出し入れ可能であって、ガスの注入により膨張する一対の胴部用浮き袋と、該一対の胴部用浮き袋にガスを注入するガスカートリッジと、前記一対の胴部用浮き袋を、前記使用者の胴部に着脱可能に固定する固定手段と、を備えたことを特徴とする。
【００１６】
主要な形態の一つは、請求項９〜１８のいずれか一項に記載の救命バッグが、ランドセルであることを特徴とする。あるいは、前記救命バッグが、前記背負い面を側面の一つとするビジネスバッグであることを特徴とする。他の形態の一つは、前記背負い手段が、前記背負い面に対して着脱可能であることを特徴とする。
【００１７】
更に他の形態の一つは、前記背負い面の前記背負い手段の上方に収納可能であって、前記使用者頸部から頭部にかけて覆うように膨張可能な保護手段、を設けたことを特徴とする。更に他の形態の一つは、前記背負い手段の下方に収納可能であって、前記使用者の両足を通す足ベルト、を設けたことを特徴とする。更に他の形態の一つは、前記背負い手段が、一対の肩ベルト，上着形状又は一対の肩ベルトの上部が連結した略Ｕ字形状のいずれかであることを特徴とする。更に他の形態の一つは、前記救命バッグのいずれかの部分を、水を含むと発熱する素材により形成したことを特徴とする。更に他の形態の一つは、前記救命バッグのいずれの部分に、反射板を設けたことを特徴とする。更に他の形態の一つは、前記背負い面に設けた収納部又は前記バッグ本体に、防災用品が収納されていることを特徴とする。
【００１８】
更に他の形態の一つは、前記背負い面に、前記使用者の身元を照会するための情報を有するカードと、該カードを収納する防水ポケットと、を設けたことを特徴とする。更に他の形態の一つは、前記救命バッグのいずれかの部分に、前記使用者の個人情報を記録したＩＣチップと、無線通信のためのアンテナとを備えたカードタグが設けられていることを特徴とする。
【００１９】
本発明の救命システムは、請求項２９記載の救命バッグと、該救命バッグに設けられたカードタグと無線通信するためのアンテナと、前記カードタグの個人情報を読み取り可能な制御部とを有する探索手段と、を含み、前記制御部は、前記カードタグから読み取った情報に応じて、所定の連絡先ないし通報先に通知を行うことを特徴とする。主要な形態の一つは、前記救命バッグが、前記使用者の位置に関する情報を発信する位置情報発信手段を備えており、前記制御部は、前記位置情報取得手段によって取得した位置に関する情報を、前記所定の連絡先ないし通報先に通知することを特徴とする。本発明の前記及び他の目的，特徴，利点は、以下の詳細な説明及び添付図面から明瞭になろう。
【発明の効果】
【００２０】
本発明によれば、物を収納するバッグ本体と、該バッグ本体の一部を構成し、バッグを背負ったときに使用者の背中に当たる背負い面と、該背負い面に設けられており、前記使用者が両腕を通して背負うための背負い手段と、前記背負い面と全部又は一部が分離可能であって、前記背負い面及び前記背負い手段を覆う被覆部材と、該被覆部材を前記背負い面に対して分離可能に取り付ける脱着手段と、を備えるとともに、前記背負い手段が浮力を有することとした。
【００２１】
また、他の発明によれば、物を収納するバッグ本体と、該バッグ本体の一部を構成し、バッグを背負ったときに使用者の背中に当たる背負い面と、該背負い面に設けられており、前記使用者が両腕を通して背負うための背負い手段と、前記背負い面の内側に収納されており、前記バッグ本体の両側面から出し入れ可能であって、ガスの注入により膨張する胴部用浮き袋と、該胴部用浮き袋にガスを注入するガスカートリッジと、前記胴部用浮き袋を、前記使用者の胴部に着脱可能に固定する固定手段と、を備えることとした。
【００２２】
更に、他の発明によれば、物を収納するバッグ本体と、該バッグ本体の一部を構成し、バッグを背負ったときに使用者の背中に当たる背負い面と、該背負い面に設けられており、前記使用者が両腕を通して背負うための背負い手段と、前記バック本体の側面に着脱可能に設けられており、ガスの注入により膨張する浮き袋を出し入れ可能に収納した収納体と、該収納体に設けられ、前記浮き袋を出し入れする出し入れ口と、前記浮き袋にガスを注入するガスカートリッジと、を備えることとした。
【００２３】
更に他の発明によれば、物を収納するバッグ本体と、該バッグ本体の一部を構成し、バッグを背負ったときに使用者の背中に当たる背負い面と、該背負い面に設けられており、前記使用者が両腕を通して背負うための背負い手段と、前記バッグ本体内に収納されており、ガスの注入により膨張するビート板用浮き袋と、該ビート板用浮き袋にガスを注入するガスカートリッジと、を備えることとした。
【００２４】
更に他の発明によれば、物を収納するバッグ本体と、該バッグ本体の一部を構成し、バッグを背負ったときに使用者の背中に当たる背負い面と、該背負い面に設けられれており、前記使用者が両腕を通して背負うための背負い手段と、前記バッグ本体内に収納される板状体と、該板状体の内部に収納されており、前記板状体の両端側から出し入れ可能であって、ガスの注入により膨張する一対の胴部用浮き袋と、該一対の胴部用浮き袋のガスを注入するガスカートリッジと、前記一対の胴部用浮き袋を、前記使用者の胴部に着脱可能に固定する固定手段と、を備えることとした。
【００２５】
このため、津波などの水難事故に巻き込まれたときに簡易に装着でき、良好に浮力を維持することが可能な収納バッグが得られる。
【図面の簡単な説明】
【００２６】
【図１】本発明の実施例１のビジネスバッグを示す図であり、(A)は通常使用時の外観斜視図，(B)は被覆部材を取り外した状態を示す外観斜視図，(C-1)及び(C-2)は救命バッグとして使用中の様子を示す図である。
【図２】本発明の実施例２のランドセルを示す図であり、(A)は通常のランドセル状態の外観斜視図，(B)は被覆部材を分離した状態を示す外観斜視図，(C-1)及び(C-2)は救命バッグとして使用中の様子を示す図である。
【図３】本発明の実施例３の救命システムの全体構成を示すブロック図である。
【図４】前記実施例３のランドセルを示す図であり、(A)は通常のランドセル状態を示す外観斜視図，(B)は被覆部材を分離した状態を示す外観斜視図，(C-1)及び(C-2)は救命バッグとして使用中の様子を示す図である。
【図５】本発明の実施例４のランドセルを示す図であり、(A)は通常のランドセル状態を示す外観斜視図，(B)は被覆部材を分離した状態を示す外観斜視図，(C)は被覆部材を切り離した状態を示す外観斜視図，(D)は救命バッグとして使用中の様子を示す図である。
【図６】本発明の実施例５のランドセルを示す図であり、(A)は通常使用時の外観斜視図，(B)は被覆部材を取り外した状態を示す外観斜視図，(C)は救命バッグとして使用する状態を示す外観斜視図である。
【図７】本発明の実施例６のランドセルを示す図であり、(A)は被覆部材を分離した状態を示す外観斜視図，(B)はＵ字型の背負い部を示す外観斜視図，(C)はベスト型の背負い部を示す外観斜視図である。
【図８】前記実施例６を示す図であり、(A)は背負い面に膨張前の背負い部を装着した状態を示す平面図，(B)は前記背負い部にガスを注入して膨張させた状態を示す外観斜視図である。
【図９】本発明の実施例７のビジネスバッグを示す図であり、(A)は被覆部材を分離した状態を示す外観斜視図，(B)はＵ字型の背負い部を示す外観斜視図，(C)はベスト型の背負い部を示す外観斜視図である。
【図１０】本発明の実施例８のランドセルを示す図であり、(A)は浮き袋を収納した状態を示す外観斜視図，(B)は浮き袋を膨張させてバッグ本体の外側へ出した状態を示す外観斜視図，(C)は救命バッグとして使用中の様子を示す図である。
【図１１】本発明の実施例９のビジネスバッグを示す図であり、(A)は浮き袋を収納した状態を示す外観斜視図，(B)は浮き袋を膨張させてバッグ本体の外側へ出した状態を示す外観斜視図，(C)は救命バッグとして使用中の様子を示す図である。
【図１２】本発明の実施例１０のビジネスバッグを示す図である。
【図１３】本発明の実施例１１を示す図であり、(A)はランドセルに浮き袋を収納した状態を示す外観斜視図，(B)は浮き袋を膨張させる様子を示す図，(C)は救命バッグとして使用中の様子を示す図，(D)は実施例１１をビジネスバッグに適用して救命バッグとして使用中の様子を示す図である。
【図１４】本発明の実施例１２のランドセルを示す図である。
【図１５】本発明の実施例１３のビジネスバッグを示す図である。
【図１６】本発明の他の実施例を示す図である。
【発明を実施するための形態】
【００２７】
以下、本発明を実施するための最良の形態を、実施例に基づいて詳細に説明する。
【実施例１】
【００２８】
最初に、図１を参照しながら本発明の実施例１を説明する。本実施例は、本発明をビジネスバッグに適用した例である。図１(A)は、本実施例のビジネスバッグの通常使用時の外観斜視図，図１(B)は側面から被覆部材を取り外した状態を示す外観斜視図，図１(C-1)及び(C-2)は救命バッグとして使用中の様子を示す図である。これらの図に示すように、本実施例のビジネスバッグ１０は、バッグ本体１２と一対の持ち手２８Ａ，２８Ｂにより構成されている。前記バッグ本体１２は、４つの側面１４，１６，１８，２０と、底面２２と上面２４により形成されている。前記上面２４には、収納物を出し入れするための開口部２５が設けられており、ファスナなどの開閉具２６Ａ，２６Ｂにより開閉可能となっている。
【００２９】
本実施例では、図１(B)に示すように、前記側面１４は、ファスナなどの着脱具３０により分離可能な被覆部材１５により覆われている。前記側面１４には、一対の肩ベルト３２Ａ，３２Ｂが設けられており、通常使用時には、図１(A)に示すように、前記一対の肩ベルト３２Ａ，３２Ｂは、被覆部材１５により覆われている。前記肩ベルト３２Ａ，３２Ｂは、津波などの緊急時に、前記被覆部材１５を分離してから使用するものであり、浮力材によって形成されている。前記側面１４が、使用者４０が背中に背負ったときに背中に当接する面になり、本実施例では、側面１４も浮力材によって形成されている。なお、本実施例では、前記側面１４も浮力材により形成されているが、十分な浮力の確保ができるようでれば、一対の肩ベルト３２Ａ，３２Ｂのみを浮力材で形成してもよい。また、本実施例では、被覆部材１５も浮力材により形成されており、非常時には、ビート板として使用することが可能となっている。
【００３０】
次に、本実施例の作用を説明する。通常のビジネスバッグとして使用するときは、使用者４０は、図１(A)に示す持ち手２８Ａ，２８Ｂを持つ。そして、救命バッグとして使用するときは、図１(B)に示すように、着脱具３０を開いて被覆部材１５をバッグ本体１２から分離し、側面１４及び肩ベルト３２Ａ，３２Ｂが現れるようにする。そして、通常のリュックサックのように、肩ベルト３２Ａ，３２Ｂに両腕を通し、肩ベルト３２Ａ，３２Ｂが両肩上に位置するようにして、バッグ本体１２を背負う。
【００３１】
このようにすることで、津波等に巻き込まれても、浮力材で形成された肩ベルト３２Ａ，３２Ｂ及び側面１４により、図１(C-1)に示すように浮力を確保することができる。すなわち、図１(C-1)に示すように、流れＦを浮力に利用する，すなわち、縦のモーメントＭが働くため、激流ほど浮力が強くなる。また、このとき、被覆部材１５も浮力材で形成されていれば、図１(C-2)に示すように、該被覆部材１５をビート板として使用することで、更に浮力を確保しやすくなる。
【００３２】
このように、実施例１によれば、ビジネスバッグ１０のバッグ本体１２の一つの側面１４に、一対の肩ベルト３２Ａ，３２Ｂを設け、前記側面１４と一対の肩ベルト３２Ａ，３２Ｂを、前記側面１４に対して着脱具３０によって分離可能な被覆部材１５で覆い、少なくとも前記一対の肩ベルト３２Ａ，３２Ｂを浮力材で構成することとした。このため、津波などの水難事故に巻き込まれたときに容易に装着可能であって、良好に浮力を確保することができる。特に、前記一対の肩ベルト３２Ａ，３２Ｂや側面１４を浮力材で形成することで、ガスで膨らませる場合と比べて空気が抜けることがなく、安定して浮力を維持することができる。そして、浮力を安定して確保することができるため、緊急時でも冷静な判断をすることが可能となる。更に本実施例では、前記被覆部材１５も浮力材で形成することとしたので、ビート板として使用することができ、一層浮力の確保が容易となる。
【実施例２】
【００３３】
次に、図２を参照しながら本発明の実施例２を説明する。なお、上述した実施例１と同一ないし対応する構成要素には同一の符号を用いることとする（以下の実施例についても同様）。本実施例は、本発明をランドセルに適用した例である。図２(A)は通常のランドセル状態の外観斜視図，図２(B)は被覆部材を分離した状態を示す外観斜視図，図２(C-1)及び(C-2)は救命バッグとして使用中の様子を示す図である。これらの図に示すように、本実施例のランドセル５０は、ランドセル本体５２と、一対の肩ベルト６８Ａ，６８Ｂにより構成されている。前記ランドセル本体５２は、４つの側面５４〜６０と、底面６２と、蓋６４により構成されており、蓋６４は、ランドセル本体５２に対して開閉可能となっている。
【００３４】
本実施例では、前記側面５４が背負い面となっており、該側面５４に対して、ファスナなどの着脱具６６により分離可能な被覆部材５５が、前記側面５４を覆っている。前記被覆部材５５には、通常のランドセルとして使用するときの一対の肩ベルト７０Ａ，７０Ｂが設けられている。そして、前記側面５４には、非常時に救命バッグとして使用するときの肩ベルト６８Ａ，６８Ｂが設けられており、通常使用時には、前記被覆部材５５により覆われている。前記一対の肩ベルト７０Ａ，７０Ｂは、浮力材により形成されており、これに加えて、必要に応じて、前記側面５４や被覆部材５５も浮力材により形成するようにしてもよい。
【００３５】
更に、本実施例では、前記一対の肩ベルト６８Ａ，６８Ｂに、笛８１を収納する収納スペース８０が設けられているほか、前記一対の肩ベルト６８Ａ，６８Ｂを胴体に固定するためのチェストベルト８６Ａ，８６Ｂも設けられている。これらチェストベルト８６Ａ，８６Ｂは、着脱具８７により、脱着自在となっている。更に、前記側面５４には、合羽やヤッケ等の低体温を防ぐためのグッズを収納するための収納スペース８８が設けられている。このほか、ランドセル本体５２の下側には（図示の例では、側面５６の下側）には、カバンの内部に侵入した水を抜くための排水口８２が設けられている。
【００３６】
また、本実施例では、使用者４０を捜索ないし探索しやすくするための工夫として、肩ベルト６８Ａに、ＩＣチップ８４が設けられている。更に、前記側面５４や肩ベルト６８Ａ，６８Ｂを、水に浸かると発熱する素材で形成しており、水難事故に巻き込まれた使用者４０を探索しやすくなっている。
【００３７】
次に、本実施例の作用を説明する。通常のランドセル５０として使用するときは、使用者４０は、図２(A)に示すように、被覆部材５５の一対の肩ベルト７０Ａ，７０Ｂに両腕を通してランドセル５０を背負う。そして、緊急時に救命バッグとして使用するときは、図２(B)に示すように、着脱具６６を開いて被覆部材５５を、ランドセル本体５２から分離し、側面１４Ａ及び一対の肩ベルト６８Ａ，６８Ｂが現れるようにする。そして、通常のランドセルのように、肩ベルト６８Ａ，６８Ｂに両腕を通し、肩ベルト６８Ａ，６８Ｂが両肩上に位置するようにして、ランドセル本体５２を背負う。このようにすることで、津波等に巻き込まれても、浮力材で形成された肩ベルト６８Ａ，６８Ｂ及び側面５４により、図２(C-1)及び(C-2)に示すように、浮力を確保することができる。また、このとき、ランドセル本体５２から分離した被覆部材５５をビート板として使用することで、更に浮力を確保しやすくなる。
【００３８】
なお、本実施例では、収納スペース８０，８８に、笛や、合羽・ヤッケ等を収納しているため、使用者４０が笛で自分の存在を周囲に知らせたり、水難が去ったのちに、合羽やヤッケ等を着用して低体温になることを防止したりすることも可能である。また、ランドセル本体５２に排水口８２を設けているため、溜まった水も自動的に排出される。更に、肩ベルト６８ＡにＩＣチップ８４を設けたり、側面５４を水に浸かると発熱する素材により形成したりすることで、センサを使用することにより使用者４０の捜索が容易になる。他の基本的な作用・効果は、上述した実施例１と同様である。
【実施例３】
【００３９】
次に、図３及び図４を参照しながら本発明の実施例３を説明する。なお、上述した実施例１と同一ないし対応する構成要素には同一の符号を用いることとする（以下の実施例についても同様）。本実施例は、前記実施例のランドセルを救命システムに適用した例である。図３は、本実施例の救命システムの全体構成を示すブロック図である。図４(A)は、本実施例のランドセルの通常の状態を示す外観斜視図，図４(B)は被覆部材を分離した状態を示す外観斜視図，図４(C-1)及び(C-2)は救命バッグとして使用中の様子を示す図である。
【００４０】
本実施例の救命システム１００は、図３に示すように、ランドセル５０Ａと、該ランドセル５０Ａに設けられたカードタグ１１０と、探索機１３０と、各種の通報先１５０により構成されている。図３及び図４に示すランドセル５０Ａは、基本的には、前記実施例２のランドセル５０と同様の構成であるが、側面５４には、一対の肩ベルトの代わりに、ベストタイプのつなぎ服７２が設けられている。つなぎ服７２は、腕を通す一対の背負い部７２Ａ，７２Ｂとこれらを開閉ないし脱着するためのベルト７４Ａ〜７４Ｃにより構成される。
【００４１】
前記カードタグ１１０は、電波を利用して人や物を認識する非接触型の自動認識技術（ＲＦＩＤ）を利用したものであり、使用者の個人情報１１３を記憶したＩＣチップ１１２と、無線通信を行うためのアンテナ１１４を含んでいる。また、本実施例では、使用者の位置情報取得手段として、ＧＰＳ１１６が設けられている。
【００４２】
前記個人情報１１３は、前記カードタグ１１０の表面に記載された事項，すなわち、使用者の顔写真や連絡先等が記録されている。例えば、使用者の氏名，住所・本人連絡先，家族連絡先，病歴，服用中薬品情報，血液型，健康保険証番号・・・等が記録されている。このほか、必要な事項を記録してもよい。前記アンテナ１１４としては、例えば、長距離通信可能なＵＦＨアンテナが用いられる。前記アンテナ１１４を介して、ＩＣチップ１１２の個人情報１１３が、探索機１３０で読取可能となっている。また、本実施例では、ＧＰＳ１１６により取得した位置情報も、前記個人情報１１３と併せて探索機１３０で読み取り可能となっている。なお、前記ＧＰＳ１１６の代わりに、上述した実施例２に示すように、ランドセル本体５２やつなぎ服７２の素材を、水に浸かると発熱する素材により形成し、探索機１３０に熱を感知するセンサ（図示せず）を搭載することで、使用者４０の位置を確認するようにしてもよい。
【００４３】
前記探索機１３０は、前記カードタグ１１０と同帯域で無線通信可能なアンテナ１３２と、前記個人情報１１３の読取・書込や、位置情報の取得盗を行うコントローラ１３４により構成されている。前記コントローラ１３４は、前記アンテナ１３２により、カードタグ１１０の存在を検知すると、そのＩＣチップ１１２に記録された個人情報１１３や位置情報を読み取り、必要に応じて、医療機関１５２，救助者１５４，家族１５６などの所定の通報先１５０に使用者４０の存在を知らせる。
【００４４】
例えば、医療機関１５２にあらかじめカードタグ１１０から読み取った情報を通知しておけば、迅速かつ的確な処理を施すことが可能となる。例えば、既往症や投薬禁忌の情報を本人が喋ることができない状況でも医療機関１５２等に示すことができる。また、救助者１５４や家族１５６に個人情報や位置情報を通知することにより、速やかに救助に駆け付け、適切な応急処置を施す等の対応が可能となる。なお、前記カードタグ１１０は、搬送先の医療機関１５２で改めて提示するようにしてもよい。例えば、使用者が倒壊した家屋やがれき等に挟まれており、捜索者の視界に入らない場合であっても、探索機１３０によりカードタグ１１０を検知することにより、使用者の存在を知ることができ、探索に好適である。また、探索機１３０と通信可能なサーバを利用することにより、取得した個人情報１１３をもとにして、被災者の安否情報の検索に活用するようにしてもよい。これにより、行方不明者を減らし、例え、最悪の状況になっても、身元の判明が容易となる。
【００４５】
このように、本実施例によれば、ランドセル５０Ａに設けられた無線通信可能なカードタグ１１０によって、使用者４０の個人情報や位置情報を探索機１３０で読み取り、必要であれば、所定の通報先に１５０に通知することとしたので、迅速な救援や必要な処置等が可能となる。これにより、生存の可能性が向上する。
【実施例４】
【００４６】
次に、図５を参照しながら本発明の実施例４を説明する。本実施例は、ランドセルの他の形態を示すものである。図５(A)は通常のランドセル状態を示す外観斜視図，図５(B)は被覆部材を分離した状態を示す外観斜視図，図５(C)は被覆部材を切り離した状態を示す外観斜視図，図５(D)は救命バッグとして使用中の様子を示す図である。図５に示すランドセル５０Ｂは、基本的には、前記実施例２のランドセルと同様の構成であるが、本実施例では、図５(B)に示すように、被覆部材５５と側面５４を分離したときに、被覆部材５５が紛失しないように、ロープ７６により接続されている。なお、前記ロープ７６は、図５(C)に示すように、側面５４側に着脱具７６Ａを設け、前記ロープ７６ごと被覆部材５５を完全に切り離すようにしてもよい。このようなロープ７６は、上述した実施例１〜３においても、当然に設けてよい。
【００４７】
また、本実施例のランドセル５０Ｂでは、図５(D)に示すように、被覆部材５５を完全に分離せず、側面５４の底面側とは連結状態を保つように、着脱具６６を開くようにしてもよい。このようにすると、使用者４０の背中を側面５４の浮力材で浮かせるのみならず、前記被覆部材５５が使用者４０の腰から下の部分にも接触するようになるので、使用者４０は包み込まれた、あるいは、抱きかかえられているような安定感を得られる。そして、ランドセル本体５２に設けられている排水口８２は、水に浸かった状態では、バラスト（重し）としての海水をランドセル本体５２に取り入れる給水口として作用し、ランドセル本体５２を水中で安定させることができる。
【００４８】
更に、本実施例のランドセル５０Ｂは、図５(B)〜(D)に示すように、側面５４の下側に、開閉可能な収納スペース７７を有しており、該収納スペース７７には、図５(D)に示すように、使用者４０の足を通すための足ベルト７８が収納されている。なお、足ベルト７８の構造は、使用者４０の両足を通して固定できる構造であれば、図示の例に限定されない。
【００４９】
また、本実施例のランドセル５０Ｂは、一対の肩ベルト６８Ａ，６８Ｂに反射板６９が設けられており、捜索がしやすくなっている。また、前記一対の肩ベルト６８Ａ，６８Ｂの上方には、収納スペース９４に収納された枕９３が設けられている。空気の吹き込み口９３Ａから空気を吹き込んで膨張させることにより、前記枕９３を使用することができる。前記枕９３は、破れたとしても水中には位置しないため、浮力に影響を与えることはない。
【実施例５】
【００５０】
次に、図６を参照しながら本発明の実施例５を説明する。図６(A)は、通常使用時の外観斜視図，(B)は被覆部材を取り外した状態を示す外観斜視図，(C)は救命バッグとして利用する状態を示す外観斜視図である。上述した実施例１〜４は、いずれも、肩ベルトや背負い部自体を浮力材で形成した例であるが、本実施例は、これらをガスの注入によって膨張する膨張式にした例である。図６に示すランドセル５０Ｃは、基本的には、前記実施例２のランドセル５０と同様の構成であるが、本実施例では、背負い面である側面５４に設ける肩ベルト２００Ａ，２００Ｂが、膨張式となっている点で異なる。
【００５１】
前記一対の肩ベルト２００Ａ，２００Ｂは、図６(A)及び(B)に示すように、内側にガスを注入することで膨張可能な浮き袋であって、布等により形成されている。前記肩ベルト２００Ａ，２００Ｂの下部には、該肩ベルト２００Ａ，２００Ｂを膨らませるためのガス，例えば炭酸ガス（ＣＯ２ガス）を充填したガスカートリッジ２０２Ａ，２０２Ｂが設けられている。これらガスカートリッジ２０２Ａ，２０２Ｂは、レバー２０４Ａ，２０４Ｂを引くことで、前記肩ベルト２００Ａ，２００Ｂの内側にＣＯ２ガスを放出するようになっている。また、本実施例では、側面５４に設けられた収納スペース８８に、予備のガスカートリッジ２０２Ｃ，２０２Ｄが収納されている。
【００５２】
本実施例のランドセル５０Ｃを救命バッグとして使用するときには、図６(B)に示すように、被覆部材５５を外し、レバー２０４Ａ，２０４Ｂを引いて、肩ベルト２００Ａ，２００Ｂを膨らませる。これにより、肩ベルト２００Ａ，２００Ｂが浮力体として作用するため、上述した実施例と同様の効果が得られる。また、本実施例では、通常のランドセルとして利用するときには、肩ベルト２００Ａ，２００Ｂを膨らませる必要がないため、ランドセル５０Ｃ自体をコンパクトにすることができる。さらに、予備のガスカートリッジ２０２Ｃ，２０２Ｄを収納袋８８に収納しておくことで、例えば、避難訓練などでガスカートリッジ２０２Ａ，２０２Ｂを使い切ったとしても、交換が可能である。
【実施例６】
【００５３】
次に、図７及び図８を参照しながら、本発明の実施例６を説明する。図７は、本実施例のランドセルを示す図であり、(A)は被覆部材を分離した状態を示す外観斜視図，(B)はＵ字型の背負い部を示す外観斜視図，(C)はベスト型の背負い部を示す外観斜視図である。図８(A)は背負い面に、膨張前の背負い部を装着した状態を示す平面図，図８(B)は背負い部にガスを放出して膨張させた状態を示す外観斜視図である。上述した実施例はいずれも、背負い部は、背負い面に固定された構造であったが、本実施例は、背負い部が、背負い面に対して着脱可能な構成となっている。
【００５４】
図８(A)に示すように、本実施例のランドセル５０Ｄは、背負い面となる側面５４の上部中央と、下部両端に、アタッチメント２１０，２１２，２１４を備えている。図７(A)に示すように、ランドセル本体５２側には、ベルト２１０Ｃ，２１２Ｃ，２１４Ｃを介して、アタッチメントのメス部２１０Ａ，２１２Ａ，２１４Ａが設けられている。一方、前記側面５４に着脱可能に取り付けられる背負い部は、図７(B)及び(C)に示すように、Ｕ字型のタイプや、ベストタイプのものがある。
【００５５】
図７(B)に示すＵ字型の背負い部２２０について説明すると、該背負い部２２０は、ガスの注入により膨張可能な略Ｕ字状の浮き袋２２２と、該浮き袋２２２に、例えばＣＯ２ガスを放出するガスカートリッジ２２６と、レバー２２８とにより構成されている。前記浮き袋２２２の中央部（ランドセルを背負ったときに使用者の頸部に当たる部分）には、アタッチメント２１０のオス部２１０Ｂが、ベルト２２４Ａを介して取り付けられている。また、前記浮き袋２２２の両端は、他のベルト２２４Ｂで連結されており、該ベルト２２４Ｂの適宜位置に設けられたベルト２２４Ｃ，２２４Ｄを介して、アタッチメントのオス部２１２Ｂ，２１４Ｂが取り付けられている。前記ランドセル本体側のメス部２１０Ａ，２１２Ａ，２１４Ａに、オス部２１０Ｂ，２１２Ｂ，２１４Ｂを嵌めることで、浮き袋２２２が着脱可能に取り付けられる。
【００５６】
また、背負い部２２０の一対の肩ベルトに相当する部分（Ｕ字形状の両腕部分）は、アタッチメント２１６により連結可能となっている。図示の例では、アタッチメントのメス部２１６Ａは、浮き袋２２２の一方の肩ベルトの中央部にベルト２１６Ｃによって取り付けられ、アタッチメントのオス部２１６Ｂは、浮き袋２２２の他方の肩ベルトの中央部にベルト２１６Ｄによって取り付けられている。前記メス部２１６Ａとオス部２１６Ｂの締結により、背負い部２２０が使用者４０の身体からずれにくくなる。更に、前記浮き袋２２２には、反射板２５６Ａ，２５６Ｂが設けられている。
【００５７】
更に、本実施例では、側面５４に設けた収納部８８に、予備のガスカートリッジ２２６Ａ，２２６Ｂや、折り畳み式のヘルメット２３０等が収納されている。なお、収納部８８に収納するものとしては、前記折り畳み式ヘルメット２３０のほか、ペンライト，ラジオ，手袋，簡易トイレ，寝袋などの他の防災グッズを収納してもよい。また、これらの防災グッズは、ランドセル本体５２に収納してもよい。収納部８８やランドセル本体５２に収納しておくことにより、水に流されることがない。
【００５８】
また、前記側面５４の上部には、使用者４０の身元照会に必要な情報を有するカード２４２を収納する防水ポケット２４０が設けられている。前記カード２４２は、例えば、銀行カード，クレジットカード，各種会員カードのように、発行元に問い合わせることで指名等が分かるものであってもよいし、氏名と連絡先を記入した自作のものであってもよい。また、前記防水ポケット２４０に、上述した実施例３で示したカードタグ１１０を収納してもよい。更に、本実施例では、前記収納部８８の下部に、開閉具２５２によって開閉可能な収納部２５０が設けられており、使用者の足を通す足ベルト２５４が収納されている。足ベルト２５４は、図８(B)に示すように、４本のバンド２５４Ａ〜２５４Ｄにより構成されており、使用者４０の両足を通すことが可能となっている。なお、図示の例では、前側のバンド２５４Ｃ，２５４Ｄは、図示しないアタッチメント等により、浮き袋２２２の両端に固定されている。
【００５９】
本実施例のランドセル５０Ｄを救命バッグとして使用するときは、図８(A)に示すように、被覆部材５５を外したのち、レバー２２８を引いてガスカートリッジ２２６から浮き袋２２２にＣＯ２ガスを放出して、図８(B)に示すように膨らます。また、必要に応じて、収納部２５０から足ベルト２５４を取り出し、両足を通して固定する。
【００６０】
また、本実施例では、前記背負い部２２０を、ベスト型の背負い部２６０に交換することが可能となっている。図７(C)に示すように、背負い部２６０は、使用者の両腕を通すことが可能なベスト型の浮き袋となっており、下部には、前記カートリッジ２２６とレバー２２８が設けられている。前記ベストの背面側上部には、ベルト２６２を介して前記オス部２１０Ｂが設けられ、前記ベストの背面側下部両端には、ベルト２６４，２６６を介して前記オス部２１２Ｂ，２１４Ｂが設けられている。したがって、必要に応じて、前記Ｕ字型の背負い部２２０と、ベスト型の背負い部２６０を交換して使用することができる。なお、ここでは、背負い部２２０，２６０ともに、膨張式のものとしたが、一方又は両方を、浮力材で形成したものとしてもよい。
【００６１】
本実施例によれば、上述した実施例５の効果に加え、使用者の体格等に応じてＵ字型の背負い部２２０とベスト型の背負い部２６０を交換して使用することができる。また、Ｕ字型の背負い部２２０では、ＣＯ２ガスをいれて膨張させたときに、使用者４０の頸部から頭部を受けるため、これらの部位の保護も可能である。更に、背負い部２２０，２６０に、反射板２５６Ａ，２５６Ｂを設けたので、探索がしやすい。また、使用者４０の身元確認のためのカード２４２を防水ポケット２４０に収納したため、身元情報が水で損なわれず、身元照会が容易となる。更に、収納部２５０に収納した足ベルト２５４を使用することにより、ランドセル５０Ｄがよりいっそう使用者４０の身体にしっかりと固定されるため、津波などで流されにくくなる。更に、前記収納部８８に、折り畳みヘルメット２３０や、その他の防災グッズを収納しておくことにより津波等に流されることがないため、水難が去ったのちの避難生活等に使用することができる。
【実施例７】
【００６２】
次に、図９を参照しながら本発明の実施例７を説明する。図９は、本実施例のビジネスバッグを示す図であり、(A)は被覆部材を分離した状態を示す外観斜視図，(B)はＵ字型の背負い部を示す外観斜視図，(C)はベスト型の背負い部を示す外観斜視図である。本実施例は、上述した実施例６の着脱式の背負い部を、ビジネスバッグに適用した例である。すなわち、ビジネスバッグ１０Ａは、側面１４に、アタッチメント２１０，２１２，２１４のメス部２１０Ａ，２１２Ａ，２１４Ａが設けられ、図９(B)に示すＵ字型の背負い部２２０及び図９(C)に示すベスト型の背負い部２６０に、オス部２１０Ｂ，２１２Ｂ，２１４Ｂが設けられている。これら背負い部２２０，２６０は、必要に応じて交換して使用してよい。他の基本な作用・効果は、上述した実施例６と同様である。
【実施例８】
【００６３】
次に、図１０を参照しながら本発明の実施例８を説明する。上述した実施例１〜７はいずれも、背負い面に設けた背負い手段が浮力を有する例であるが、本実施例は、使用者の胴部に固定される胴部ベルトを浮き袋にして浮力をつけることとした例である。図１０(A)は、本実施例のランドセルに浮き袋を収納した状態を示す外観斜視図，図１０(B)は浮き袋を膨張させてバッグ本体の外側へ出した状態を示す外観斜視図，図１０(C)は救命バッグとして使用中の様子を示す図である。
【００６４】
本実施例のランドセル５０Ｅは、背負い面となる側面５４Ａに、一対の肩ベルト７０Ａ，７０Ｂが設けられている。前記肩ベルト７０Ａ，７０Ｂには、使用者４０の胸の前で連結可能なチェストベルト３１６Ａ，３１６Ｂが設けられている。これらチェストベルト３１６Ａ，３１６Ｂは、図１０(A)に示すように、基部３１８Ａ，３１８Ｂに回転可能に設けられており、使用時は図１０(B)に示すように連結し、使用しないときには図１０(A)に示すように連結を解除して収納可能となっている。本実施例では、上述した実施例と異なり、側面５４Ａは、被覆部材で覆われていない。前記側面５４Ａの内側には、内側にガスを注入することで膨張可能な浮き袋であって、布等により形成された胴部用の浮き袋３００Ａ，３００Ｂが収納されている。前記浮き袋３００Ａ，３００Ｂには、ベルト３０２Ａ，３０２Ｂが設けられており、着脱具３０４によって着脱可能及び長さ調節可能となっている。また、前記浮き袋３００Ａ，３００Ｂには、反射板３１４Ａ，３１４Ｂが設けられている。前記側面５４Ａの内側には、使用者４０の胴部に固定するための補助ベルト３０６Ａ，３０６Ｂが収納されている。これら補助ベルト３０６Ａ，３０６Ｂは、着脱具３０８により着脱可能かつ長さ調節可能となっている。
【００６５】
前記側面５４Ａの内側には、前記浮き袋３００Ａ，３００Ｂを膨らませるためのガス，例えば炭酸ガス（ＣＯ２）を充填した図示しないガスカートリッジが設けられている。当該ガスカートリッジは、レバー３２０を引くことで、前記浮き袋３００Ａ，３００Ｂの内側にＣＯ２ガスを放出する。前記レバー３２０を引いて、浮き袋３００Ａ，３００Ｂを膨張させると、これら浮き袋３００Ａ，３００Ｂは、バッグ本体５６の側面に設けられた出し入れ口３１０Ａ，３１０Ｂから飛び出し、装着可能な状態となる。なお、図示の例では、前記出し入れ口３１０Ａ，３１０Ｂに何も設けていないが、浮き袋３００Ａ，３００Ｂの膨張によって、自動的に開くような開閉具（ファスナや面ファスナなど）を設けるようにしてもよい。
【００６６】
本実施例のランドセル５０Ｅでは、側面５４Ａを被覆部材が覆っておらず、救命バッグとして使用する際には、前記レバー３２０を引くだけで、ガスが注入されて膨張した浮き袋３００Ａ，３００Ｂがランドセル本体５６の両側面からでてくる。このため、ランドセル５０Ｅを装着したまま、浮き袋３００Ａ，３００Ｂを装着することができる。他の基本的な作用・効果は上述した実施例２と同様である。なお、本実施例では、肩ベルト７０Ａ，７０Ｂは浮力を有しない構造としたが、上述した実施例１〜７のように、浮力を有する肩ベルトやベスト、あるいは、Ｕ字型の浮き袋と、本実施例の腰用の浮き袋３００Ａ，３００Ｂと併用するようにしてもよい。
【実施例９】
【００６７】
次に、図１１を参照しながら本発明の実施例９を説明する。本実施例は、上述した実施例８を、ビジネスバッグに適用した例である。図１１(A)は、本実施例のビジネスバッグに浮き袋を収納した状態を示す外観斜視図，図１１(B)は浮き袋を膨張させてバッグ本体の外側へ出した状態を示す外観斜視図，図１１(C)は救命バッグとして使用中の様子を示す図である。
【００６８】
本実施例のビジネスバッグ１０Ｂは、背負い面となる側面１４に、一対の肩ベルト３５０Ａ，３５０Ｂが設けられている。前記側面１４の内側には、前記実施例８と同様の浮き袋３００Ａ，３００Ｂと、それにガスを注入するための図示しないガスカートリッジと、補助ベルト３０６Ａ，３０６Ｂが収納されている。前記浮き袋３００Ａ，３００Ｂは、バッグ本体１２の側面に設けられた出し入れ口３５２Ａ，３５２Ｂから出し入れ可能となっている。また、上述した実施例８と同様に、レバー３２０を引いて浮き袋３００Ａ，３００Ｂを膨張させると、前記出し入れ口３５２Ａ，３５２Ｂから自動的に飛び出すようになっている。本実施例の作用・効果は、上述した実施例８と同様である。上述した実施例１〜７の浮力を有する肩ベルトやベスト、あるいは、Ｕ字型の浮き袋をと、本実施例の腰用の浮き袋３００Ａ，３００Ｂと併用してよいことも同様である。
【実施例１０】
【００６９】
次に、図１２を参照しながら、本発明の実施例１２を説明する。本実施例は、上述した実施例１１の変形例である。本実施例のビジネスバッグ１０Ｃは、側面１４が着脱可能な被覆部材１５で覆われた構成となっており、着脱具３０により着脱可能となっている。本実施例では、完全に分離した被覆部材１５を浮力材で形成しておくことで、ビート板として使用するようにしてもよいし、側面１４の下縁とのみ連結するようにして、使用者４０の体を水中で支えるようにしてもよい。本実施例の基本的な作用・効果は、上述した実施例９と同様である。上述した実施例１〜７の浮力を有する肩ベルトやベスト，あるいは、Ｕ字型の浮き袋と、本実施例の腰用の浮き袋３００Ａ，３００Ｂと併用してよいことも同様である。
【実施例１１】
【００７０】
次に、図１３を参照しながら、本発明の実施例１３を説明する。上述した実施例１〜１０はいずれも、バッグ本体の外側に浮力を有する浮力体を設けることとしたが、本実施例は、バッグ本体内に浮力体を設けることとした例である。図１３(A)は、本実施例のランドセルに浮き袋を収納した状態を示す外観斜視図，図１３(B)は浮き袋を膨張させる様子を示す図，図１３(C)は救命バッグとして使用中の様子を示す図である。図１３(D)は、本実施例をビジネスバッグに適用して救命バッグとして使用中の様子を示す図である。
【００７１】
図１３(A)に示すように、本実施例のランドセル５０Ｆは、側面５４Ａに一対の肩ベルト７０Ａ，７０Ｂを備えており、ランドセル本体５２の内側に、ガスを注入することでビート板のような形状に膨張可能な浮き袋３６０が収納されている。前記側面５４Ａの内側には、前記浮き袋３６０を膨らませるためのガス，例えば炭酸ガス（ＣＯ２）を充填したガスカートリッジ３６２が設けられている。当該ガスカートリッジ３６２は、図１３(B)に示すように、レバー３６４を引くことで、前記浮き袋３６０の内側にＣＯ２ガスを放出する。前記レバー３６４を引いて、浮き袋３６０を膨張させると、この浮き袋３６０は、ビート板のような形状に膨張し、そのまま浮力材としてランドセル本体５２内におさまる。
【００７２】
本実施例のランドセル５０Ｆでは、側面５４Ａを被覆部材が覆っておらず、救命バッグとして使用する際には、前記レバー３６４を引くだけで、ガスが注入されて膨張したビート板状の浮き袋３６０がランドセル本体５２におさまり、図１３(C)に示すように、浮力材として作用する。このため、ランドセル５０Ｆを装着したまま、レバー３６４を引くだけで救命バッグとして使用できる。他の基本的な作用・効果は上述した実施例２と同様である。
【００７３】
なお、本実施例では、肩ベルト７０Ａ，７０Ｂは浮力を有しない構造としたが、上述した実施例１〜７のように、浮力を有する肩ベルトやベスト、あるいは、Ｕ字型の浮き袋と、実施例８〜１０に示す腰用の浮き袋３００Ａ，３００Ｂと併用したりしてもよい。むろん、本実施例は、ビジネスバッグにも適用可能であり、図１３(D)に示すビジネスバッグ１０Ｄに示すように、バッグ本体１２内に、上述した浮き袋３６０と、ガスカートリッジ３６２を収納し、救命バッグとして使用するときにレバー３６４を引く構成としてもよい。
【実施例１２】
【００７４】
次に、図１４を参照しながら、本発明の実施例１２を説明する。本実施例は、浮力体をバッグ本体に対して着脱可能な構成とした例である。図１４は、本実施例のランドセルを示す外観斜視図である。同図に示すように、本実施例のランドセル５０Ｇは、背負い面となる側面５４に一対の肩ベルト７０Ａ，７０Ｂが設けられている。本実施例も、前記側面５４は、被覆部材で覆われていない。バッグ本体５２の側面５６には、開口部３７２を備えた筒状体３７０が着脱可能に設けられている。前記筒状体３７０の内側には、内側にガスを注入することで膨張可能な浮き袋３７４が収納されている。該浮き袋３７４は、本実施例では、膨張させたときに長方形のビート板として使える形状となっている。また、前記浮き袋３７４の端部中央には連結ベルト３８０が設けられており、浮き袋３７４をランドセル５０Ｇや使用者４０の着衣などに連結可能となっている。
【００７５】
また、本実施例では、前記筒状体３７０の内側には、前記浮き袋３７４を膨らませるためのガス，例えば炭酸ガス（ＣＯ２）を充填したガスカートリッジ３７８が設けられている。当該ガスカートリッジ３７８は、レバー３７６を引くことで、前記浮き袋３７４の内側にＣＯ２ガスを放出する。前記レバー３７６を引いて、浮き袋３７４を膨張させると、該浮き袋３７４は、バッグ本体の側面５６に設けられた開口部３７２から飛び出す。また、レバー３７６と同時に、筒状体３７０自体がバッグ本体５６から外れる構成としてもよい。なお、図示の例では、前記開口部３７２に何も設けていないが、浮き袋３７４の膨張によって、自動的に開くような開閉具（ファスナや面ファスナなど）を設けるようにしてもよい。また、本実施例では、肩ベルト７０Ａ，７０Ｂは浮力を有しない構造としたが、上述した実施例１〜７のように、浮力を有する肩ベルトやベスト、あるいは、Ｕ字型の浮き袋と、本実施例のビート板状の浮き袋３７４を併用するようにしてもよい。
【実施例１３】
【００７６】
次に、図１５を参照しながら、本発明の実施例１３を説明する。本実施例は、上述した実施例１２をビジネスバッグに応用した例である。本実施例のビジネスバッグ１０Ｅは、背負い面となる側面１４に、一対の肩ベルト３２Ａ，３２Ｂが設けられている。本実施例では、肩ベルト３２Ａ，３２Ｂは、浮力材により形成されている。前記ビジネスバッグ本体１２の内側には、板状体４０２が収納されている。該板状体４０２の内側には、胴ベルト状の浮き袋４０８，４１０が収納されるとともに、これら浮き袋４０８，４１０にガスを注入するための図示しないガスカートリッジと、補助ベルト４２０，４２２が収納されている。前記浮き袋４０８，４１０は、前記板状体４００の両端近傍に設けられた開口部４０４，４０６から出し入れ可能となっている。また上述した実施例１２と同様に、レバー４１２，４１４を引いて浮き袋４０８，４１０を膨張させると、前記開口部４０４，４０６から自動的に飛び出すようになっている。そして、前記板状体４００を背中に当て、浮き袋４０８，４１０を胴部に回して、補助ベルト４２０，４２２を連結具４２４，４２６で連結すると、救命胴衣４００として使用することができる。本実施例の基本的な作用・効果は上述した実施例１２と同様であるが、本実施例によれば、使用者４０は浮力材で形成された肩ベルト３２Ａ，３２Ｂを有するビジネスバッグ１０Ｅを使用し、他の人に、救命胴衣を貸することもでき、１つのバッグで２名分の浮力確保をすることができる。むろん、本実施例と他の実施例を組み合わせて、他の実施例で２名分の浮力を確保するようにしてもよい。
【００７７】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。素材についても、同様の効果を発揮するものであれば、公知の各種の素材を用いてよい。
(2)前記実施例１では、バッグ本体１２の被覆部材１５には肩ベルトを設けないこととしたが、図１６(A)に示すビジネスバッグ１０Ｆのように、被覆部材１５にも、一対の肩ベルト３４Ａ，３４Ｂを設けることにより、２ウェイバッグとして使用するようにしてもよい。この場合も、救命バッグとしての使用方法は、上述した実施例１と同様である。
【００７８】
(3)前記実施例では、側面と被覆部材を分離可能にするための着脱具としてファスナを例に挙げたが、これも一例であり、同様の効果を奏する範囲で、公知の各種の着脱具を使用してよい。
(4)前記実施例では、救命バッグのいずれのかの部分を水に浸かると発熱する素材で形成し、熱を検知するセンサを用いて使用者４０の位置を確認することとしたが、これも一例であり、救命バッグに、使用者の体温を検知する温度センサを設け、この検知結果を探索機に送信するようにしてもよい。
【００７９】
(5)前記実施例２は、収納スペース８０，８８や、排水口８２，ＩＣチップ８４，チェストベルト８６Ａ，８６Ｂを設けることとしたが、これらは必要に応じて設ければよい。また、他の救命グッズや避難グッズを設けることを妨げるものではない。図１６(B-1)に示すように、図１(B)の一対の肩ベルト３２Ａ，３２Ｂの肩ベルトの根元に、開閉具９４によって開閉可能な収納部９２を設け、該収納部９２内に、引き出し可能な保護袋９０を設けるようにしてもよい。該保護袋９０に図示しない吹き込み口から空気を吹き込んで、図１６(B-2)に示すように膨らませることにより、図１６(C)に示すように、使用者４０の頸部から頭部にかけて保護することができる。前記保護袋９０は、枕としても使用できる。このほか、カバンの中に他の保温グッズを収納したり、反射板を設けたりするようにしてもよい。
【００８０】
(6)図１６(D)に示すビジネスバッグ１０Ｇのように、バッグ本体１２から引き出し可能なハンドル９５を設けるようにしてもよいし、底面２２に脱着可能なキャスタ９６が設けられたプレート９８を設け、必要に応じて、プレート９８ごとバッグ本体１２に収納するようにしてもよい。
(7)前記実施例では、ビジネスバッグとランドセルを例に挙げて説明したが、本発明は、他の公知の各種のバッグ全般に適用可能である。
【産業上の利用可能性】
【００８１】
本発明によれば、物を収納するバッグ本体に、使用者の体に固定する浮力体を設けるか、あるいは、前記バッグ本体内に、必要に応じて浮力体として作用する浮き袋を設けることとした。このため、津波などの水難事故に巻き込まれたときに簡易に装着でき、良好に浮力を維持することが可能なため、救命バッグの用途に適用できる。特に、常に携帯することが多いビジネスバッグやランドセル等のバッグとして好適である。
【符号の説明】
【００８２】
１０，１０Ａ〜１０Ｇ：ビジネスバッグ
１２：バッグ本体
１４〜２０：側面
１５：被覆部材
２２：底面
２４：上面
２５：開口部
２６Ａ，２６Ｂ：開閉具
２８Ａ，２８Ｂ：持ち手
３０：着脱具
３２Ａ，３２Ｂ，３４Ａ，３４Ｂ：肩ベルト
４０：使用者
４２：水面
５０，５０Ａ〜５０Ｇ：ランドセル
５２：ランドセル本体
５４，５４Ａ，５６〜６０：側面
５５：被覆部材
６２：底面
６４：蓋
６６：着脱具
６８Ａ，６８Ｂ，７０Ａ，７０Ｂ：肩ベルト
６９：反射板
７２：つなぎ服
７２Ａ，７２Ｂ：背負い部
７４Ａ〜７４Ｃ：ベルト
７６：ロープ
７６Ａ：着脱具
７７：収納スペース
７８：足ベルト
８０：収納スペース
８１：笛
８２：排水口
８４：ＩＣチップ
８６Ａ，８６Ｂ：チェストベルト
８７：着脱具
８８：収納スペース
９０：保護袋
９２：収納部
９３：枕
９３Ａ：吹き込み口
９４：開閉具
９５：ハンドル
９６：キャスタ
１００：救命システム
１１０：カードタグ
１１２：ＩＣチップ
１１３：個人情報
１１４：アンテナ
１１６：ＧＰＳ
１３０：探索機（ドローン）
１３２：アンテナ
１３４：コントローラ
１４０：中継器
１５０：通報先
１５２：医療機関
１５４：救助者
１５６：家族
２００Ａ，２００Ｂ：肩ベルト
２０２Ａ〜２０２Ｄ：ガスカートリッジ
２０４Ａ，２０４Ｂ：レバー
２１０〜２１６：アタッチメント
２１０Ａ〜２１６Ａ：メス部
２１０Ｂ〜２１６Ｂ：オス部
２１０Ｃ〜２１６Ｃ，２１６Ｄ：ベルト
２２０：背負い部
２２２：浮き袋
２２４Ａ〜２２４Ｅ：ベルト
２２６，２２６Ａ，２２６Ｂ：ガスカートリッジ
２２８：レバー
２３０：ヘルメット
２４０：防水ポケット
２４２：カード
２５０：収納部
２５２：開閉具
２５４：足ベルト
２５４Ａ〜２５４Ｄ：バンド
２５６Ａ，２５６Ｂ：反射板
２６０：背負い部
２６２，２６４，２６６：ベルト
３００Ａ，３００Ｂ：浮き袋
３０２Ａ，３０２Ｂ：ベルト
３０４：連結具
３０６Ａ，３０６Ｂ：補助ベルト
３０８：連結具
３１０Ａ，３１０Ｂ：出し入れ口
３１４Ａ，３１４Ｂ：反射板
３２０：レバー
３５０Ａ，３５０Ｂ：肩ベルト
３５２Ａ，３５２Ｂ：出し入れ口
３６０：浮力ケース
３６２：ガスカートリッジ
３６４：レバー
３７０：筒状体
３７２：開口部
３７４：浮き袋
３７６：レバー
３７８：ガスカートリッジ
３８０：連結ベルト
４００：浮力体
４０２：板状体
４０４，４０６：開口部
４０８，４１０：浮き袋
４１２，４１４：レバー
４１６，４１８：ガスカートリッジ
４２０，４２２：補助ベルト
４２４，４２６：連結具
【図１】
2019206195.tif 000003
【図２】
2019206195.tif 000004
【図３】
2019206195.tif 000005
【図４】
2019206195.tif 000006
【図５】
2019206195.tif 000007
【図６】
2019206195.tif 000008
【図７】
2019206195.tif 000009
【図８】
2019206195.tif 000010
【図９】
2019206195.tif 000011
【図１０】
2019206195.tif 000012
【図１１】
2019206195.tif 000013
【図１２】
2019206195.tif 000014
【図１３】
2019206195.tif 000015
【図１４】
2019206195.tif 000016
【図１５】
2019206195.tif 000017
【図１６】
2019206195.tif 000018